(57)【要約】      （修正有）【課題】持ち帰って再使用することが可能であり、披露宴等の記念品にもなる持ち帰り箸を提供する。【解決手段】木製の箸材料１ｍから形成される箸であって、箸形成時に除却される箸材料１ｍの基端部から形成された箸置き３を備えている。箸本体２と箸置き３がセットになっているので、別途箸置きを用意する必要がなくなる。しかも、従来廃棄されていた部分から箸置き３を形成するので、木材資源を有効利用することができる。また、専用ケース１０に収容されているので、持ち帰りが行いやすい。しかも、箸拭き５も一緒に収納されているので、使用前や使用した後に箸本体２を拭くことができる。よって、箸本体２を使用するときに使用者が安心して箸本体２を使用できるし、箸本体２を清潔にできるから箸本体２を専用ケース１０に収容する時に、箸本体２を清潔に保つことができる。【選択図】図２
0003154080.tif 000002
【実用新案登録請求の範囲】
【請求項１】
木製の箸材料から形成される箸であって、
該箸形成時に除却される前記箸材料の基端部から形成された箸置きを備えている
ことを特徴とする持ち帰り箸。
【請求項２】
前記箸は、
専用の箸ケースに収容されており、
該箸ケースには、該箸とともに箸拭きが収納されている
ことを特徴とする請求項１記載の持ち帰り箸。
【請求項３】
木製の箸材料から形成される箸であって、
専用の箸ケースに収容されており、
該箸ケースには、該箸とともに箸拭きが収納されている
ことを特徴とする持ち帰り箸。
【考案の詳細な説明】
【技術分野】
【０００１】
本考案は、持ち帰り箸に関する。さらに詳しくは、披露宴や宴会、レストラン等の飲食店等において、使用される箸であって、使用した後、持ち帰ることができ、継続使用が可能な持ち帰り箸に関する。
【背景技術】
【０００２】
従来、披露宴等で使用される箸には、使い捨てされる箸が使用されているので（例えば、特許文献１）、使用した箸は、式の終了後廃棄焼却処理されることが一般的であった。
かかる焼却処理には、重油等の燃料が必要となるし、また、焼却処理によりＣＯ２が排出されること、使い捨てされる箸は木製であるため木材資源の消費につながることもあり、かかる箸を使用し続けることは環境に悪影響を与えることが危惧される。
【０００３】
ところで、披露宴では、出席者に対しては記念となる品が引き出物として贈られるのであるが、主役である新郎新婦には特別な記念品はなかった。かかる事情もあり、新郎新婦が記念品として持ち帰る品物が求められていた。
【先行技術文献】
【特許文献】
【０００４】
【特許文献１】特開平５−３８３１０号
【考案の概要】
【考案が解決しようとする課題】
【０００５】
本考案は上記事情に鑑み、持ち帰って再使用することが可能であり、披露宴等の記念品にもなる持ち帰り箸を提供することを目的とする。
【課題を解決するための手段】
【０００６】
第１考案の持ち帰り箸は、木製の箸材料から形成される箸であって、該箸形成時に除却される前記箸材料の基端部から形成された箸置きを備えていることを特徴とする。
第２考案の持ち帰り箸は、第１考案において、前記箸は、専用の箸ケースに収容されており、該箸ケースには、該箸とともに箸拭きが収納されていることを特徴とする。
第３考案の持ち帰り箸は、木製の箸材料から形成される箸であって、専用の箸ケースに収容されており、該箸ケースには、該箸とともに箸拭きが収納されていることを特徴とする。
【考案の効果】
【０００７】
第１考案によれば、箸と箸置きがセットになっているので、別途箸置きを用意する必要がなくなる。しかも、従来廃棄されていた部分から箸置きを形成するので、木材資源を有効利用することができる。
第２考案によれば、箸が専用の箸ケースに収容されているので、持ち帰りが行いやすい。しかも、箸拭きも一緒に収納されているので、使用前や使用した後に箸を拭くことができる。よって、使用者が安心して箸を使用できるし、箸を清潔にできるから箸を箸ケースに収容する時に、箸を清潔に保つことができる。
第３考案によれば、箸が専用の箸ケースに収容されているので、持ち帰りが行いやすい。しかも、箸拭きも一緒に収納されているので、使用前や使用した後に箸を拭くことができる。よって、使用者が安心して箸を使用できるし、箸を清潔にできるから箸を箸ケースに収容する時に、箸を清潔に保つことができる。
【図面の簡単な説明】
【０００８】
【図１】本実施形態の箸１の概略説明図である。
【図２】本実施形態の箸１の専用ケース１０内に収納される品の説明図である。
【図３】本実施形態の箸１の製造工程の概略説明図である。
【図４】本実施形態の箸１の製造工程のフローチャートである。
【考案を実施するための形態】
【０００９】
つぎに、本考案の実施形態を図面に基づき説明する。
図１は本実施形態の箸１の概略説明図である。同図に示すように、本実施形態の箸１は、２本の箸本体ピース２ａ，２ｂからなる箸本体２と、箸置き３とから構成されている。本実施形態の箸１では、一膳の箸に通常１つしかない箸置が、一対の箸置ピース３ａ，３ｂから構成されていることに特徴がある。
【００１０】
ここで、箸置き３が一対の箸置ピース３ａ，３ｂからなる理由は、いずれも箸本体２を形成するときに、箸本体２の材料となる２本の箸材料１ｍから除去された材料から各箸置ピース３ａ，３ｂが形成されているからである。つまり、一本の箸材料１ｍから一組の箸本体ピース２ａと箸置ピース３ａ、もう一本の箸材料１ｍから一組の箸本体ピース２ｂと箸置ピース３ｂを形成することも本実施形態の箸１の特徴である。
【００１１】
具体的にいえば、本実施形態の箸１の箸本体２は、木材を加工して形成されているのであるが、その加工の際には、箸材料１ｍの基端部分をつかんだ状態で、箸本体２の形を整える切削加工や研磨加工、箸本体２に表面処理（塗りや装飾）が行われる。これらの加工の際に保持されていた箸材料１ｍの基端部分は、これまでは箸材料１ｍから除去され廃棄されていた。つまり、箸材料１ｍのうち、箸本体２となる部分だけが使用され、前記基端部分が使用されることは無かった。
しかし、本実施形態の箸１では、従来廃棄されていた基端部を箸置き３として利用できるように加工しているので、木材資源を有効利用することができる。
しかも、本実施形態の箸１では、箸本体２と箸置き３とがセットとなっている。すると、箸とは別に箸置きを用意する必要がなくなるので、テーブルセッティングが容易になるという効果も得られる。
【００１２】
また、本実施形態の箸１は、結婚式等において使用されるときには、専用ケース１０内に収容された状態で、テーブル等にセットされる場合がある。この場合には、以下のような状態で、専用ケース１０内に、箸本体２および箸置き３が収容される。
【００１３】
箸本体２は、箸袋２ｐに収容された状態で専用ケース１０内に入れられる。この箸本体２を収容する箸袋２ｐの表面には、本実施形態の箸１のコンセプトを示す図柄やエピソードが表示されており、使用する人が専用ケース１０を開けたときに、本実施形態の箸１の一つのコンセプトが理解できるように工夫がなされている。この箸１のコンセプトとは、前述した従来廃棄されていた基端部を箸置き３とすることによる木材資源の有効利用である。
【００１４】
また、箸置き３は、一対の箸置ピース３ａ，３ｂからなるので、バラバラにならないように箸置袋３ｐ内に収容された状態で専用ケース１０内に入れられる。この箸置袋３ｐはとくに限定されないが、透明で内部の箸置き３が透けて見えるものが好ましい。かかる透明な箸置袋３ｐを使用すると、その内部に一対の箸置ピース３ａ，３ｂが揃っている状態が透けて見えるので、使用する人に対して、箸袋２ｐにデザインされている本実施形態の箸１のコンセプトを強く印象付ける効果が得られる。
【００１５】
そして、通常の使い捨てされる箸とは異なり、本実施形態の箸１には専用ケース１０が付いているので、使用後の箸１を専用ケース１０に入れて、記念品として持ち帰ることができる。すると、従来の披露宴では、式の記念品が無かった新郎新婦も、本実施形態の箸１を式の記念品として持ち帰ることができる。
また、本実施形態の箸１は、記念品として持ち帰った後も専用ケース１０に入れれば清潔にかつ気軽に持ち歩くことができるので、再使用しやすくなる。そして、通常の食事において、使い捨てされる箸に代えて本実施形態の箸１が使用されれば、廃棄される箸を少なくすることができる。すると、使い捨てされる箸を使用することにより、環境に悪影響が及ぶことを防ぐことができる。
【００１６】
さらに、図２に示すように、専用ケース１０内に、箸拭き５が入れられていることがより好ましい。この箸拭き５があれば、使用前に箸本体２を拭くことができる。すると、使用者が安心して箸本体２を使用することができる。
また、箸拭き５があれば、箸本体２の使用後に箸本体２を拭くことができるから、箸本体２を専用ケース１０に収容して持ち帰るときに、使用前とほぼ同等の清潔な状態にすることができる。そして、箸本体２を使用前とほぼ同等の清潔な状態にすることができるから、使用した箸１を持ち帰ることへの抵抗感を少なくすることができる。
【００１７】
なお、専用ケース１０内には、新郎新婦からのメッセージを入れておくこともできる。通常の使い捨てされる箸を使用する場合には、テーブルの上にメッセージを置くことはできるが、メッセージがあることを式の参加者が事前に分かってしまうので、参加者に与える感動が少なくなる。
しかし、本実施形態の箸１では専用ケース１０が付いているので、専用ケース１０内にメッセージを入れておけば、専用ケース１０を開けるまで参加者はメッセージに気が付かない。よって、食事の際に専用ケース１０を開けてメッセージを見つけたときの感動をより大きくでき、式の印象を強く残すことができる。
【００１８】
なお、上記例では、専用ケース１０として、筒状の外部ケース１２に上部が開放された箱状の内部ケース１１が挿入される形態のケースを例示しているが、専用ケース１０の形状はとくに限定されず、箸袋２ｐに収容された箸本体２や箸置袋３ｐ内に収容された箸置き３、箸拭き５などを収容できるものであれば、とくに限定されない。
【００１９】
つぎに、本実施形態の箸１の製造方法を説明する。
図３は本実施形態の箸１の製造工程の概略説明図である。図４は本実施形態の箸１の製造工程のフローチャートである。
図３および図４に示すように、本実施形態の箸１の製造の際には、まず、木製の板Ｐを切断して、棒状の箸材料１ｍを形成する。このとき、箸材料１ｍの長さは、完成品である箸本体２の長さよりも長く形成される（Ｓ１）。
【００２０】
形成された箸材料１は、表面加工が行われる（Ｓ２）。具体的には、形状加工と表面仕上げを行う。形状加工では、箸材料１ｍの断面を所定の断面に加工したり、先端に向かって先細りとなるように加工したりする。また、表面仕上げでは、表面の着色や艶出しを行う。なお、表面仕上げ後は、乾燥させて、着色剤等を定着させる。
【００２１】
表面加工が終了すると、箸材料１ｍから基端部が切り離され、箸本体材料２ｍが形成される（Ｓ３）。
基端部が切り離された箸本体材料２ｍは、切断面である端面部分の表面仕上げが行われる（Ｓ４ａ）。具体的には、端面部分に着色や艶出しなどの表面仕上げが行われ、表面仕上げ後、乾燥させて、着色剤等を定着させることが行われる。
【００２２】
一方、箸材料１ｍから切り離された基端部３ｍは、所定の形状かつ所定表面性状となるように表面処理が行われる（Ｓ４ｂ）。具体的には、所定の箸置の形状に形成する形状加工が行われた後、着色や艶出しを行う表面仕上げが行われる。なお、表面仕上げ後は、箸本体材料２ｍと同様に、乾燥させて、着色剤等を定着させる。
【００２３】
そして、最終的に箸本体２と一対の箸置ピース３ａ，３ｂからなる箸置き３が形成されると、箸本体２は箸袋２ｐに、箸置き３は箸置袋３ｐにそれぞれ収容され、最後に、これらと箸拭き５が専用ケース１０に入れられるのである（Ｓ６）。
【００２４】
なお、本実施形態の箸１では、箸本体２や箸置き３は、それぞれ袋２ｐ，３ｐに収容される前に洗浄されて乾燥されている（Ｓ５）。これは、袋２ｐ，３ｐから取り出した箸本体２や箸置き３をそのまま安心して使用できるようにするためであるが、必ずしも洗浄は行わなくてもよい。
【００２５】
また、本発明の持ち帰り箸は、他の実施形態として、専用ケース内に、箸本体と、箸置き以外の上述した他の物品（例えば、箸拭きやメッセージ等）が収容されたものとしてもよい。つまり、箸置きをケースに入れない以外は、上述した持ち帰り箸１と実質同等の構成を有するものとしてもよい。
この場合、上述した実施形態の持ち帰り箸１と比較して、テーブル等のセッティングにおいて箸置きを準備しなければならない。しかし、それ以外は、上述した実施形態の持ち帰り箸１と実質同等の効果（例えば、使用者が箸を持ち帰りやすいなど）を奏することができる。また、持ち帰り箸１と実質同等の方法で製造ることもできる。
【産業上の利用可能性】
【００２６】
本考案は、披露宴や宴会、レストラン等の飲食店等において使用される箸に適している。
【符号の説明】
【００２７】
１        箸
２        箸本体
３        箸置
５        箸拭き
１０        専用ケース
【図１】
0003154080.tif 000003
【図２】
0003154080.tif 000004
【図３】
0003154080.tif 000005
【図４】
0003154080.tif 000006
【手続補正書】
【提出日】平成21年8月3日(2009.8.3)
【手続補正１】
【補正対象書類名】明細書
【補正対象項目名】０００６
【補正方法】変更
【補正の内容】
【０００６】
第１考案の持ち帰り箸は、木製の箸材料から形成される箸であって、該箸形成時に除却される前記箸材料の基端部から形成された箸置きを備えていることを特徴とする。
第２考案の持ち帰り箸は、第１考案において、前記箸は、専用の箸ケースに収容されており、該箸ケースには、該箸とともに箸拭きが収納されていることを特徴とする。
【手続補正２】
【補正対象書類名】明細書
【補正対象項目名】０００７
【補正方法】変更
【補正の内容】
【０００７】
第１考案によれば、箸と箸置きがセットになっているので、別途箸置きを用意する必要がなくなる。しかも、従来廃棄されていた部分から箸置きを形成するので、木材資源を有効利用することができる。
第２考案によれば、箸が専用の箸ケースに収容されているので、持ち帰りが行いやすい。しかも、箸拭きも一緒に収納されているので、使用前や使用した後に箸を拭くことができる。よって、使用者が安心して箸を使用できるし、箸を清潔にできるから箸を箸ケースに収容する時に、箸を清潔に保つことができる。
【手続補正３】
【補正対象書類名】実用新案登録請求の範囲
【補正対象項目名】全文
【補正方法】変更
【補正の内容】
【実用新案登録請求の範囲】
【請求項１】
木製の箸材料から形成される箸であって、
該箸形成時に除却される前記箸材料の基端部から形成された箸置きを備えている
ことを特徴とする持ち帰り箸。
【請求項２】
前記箸は、
専用の箸ケースに収容されており、
該箸ケースには、該箸とともに箸拭きが収納されている
ことを特徴とする請求項１記載の持ち帰り箸。